【手続補正書】
【提出日】平成26年1月22日(2014.1.22)
【手続補正１】
【補正対象書類名】特許請求の範囲
【補正対象項目名】全文
【補正方法】変更
【補正の内容】
【特許請求の範囲】
【請求項１】
脊椎生物の認知領域とターゲット領域との間の神経伝達を改善するためのシステムであって、前記認知領域及びターゲット領域が、神経経路を形成する神経接続によって結合され、前記システムが、
前記神経経路上で第１のパルス神経信号を誘発するための第１のパルス信号セットを有する第１の刺激信号を発生させるための第１の信号源と、
前記神経経路上で前記第１のパルス神経信号を発生させるために前記経路上で前記認知領域に対して前記第１の刺激信号を送出可能とする第１の信号伝送手段と、
前記神経経路上で第２のパルス神経信号を誘発するための第２のパルス信号セットを有する第２の刺激信号を供給するための第２の信号源と、
前記神経経路上で前記第２のパルス神経信号を発生させるために前記経路上で前記ターゲット領域に対して前記第２の刺激信号を印加するように構成された第２の信号伝送手段であって、前記神経経路が前記神経経路上で前記認知領域と前記ターゲット領域との間の直接接合領域を含む、第２の信号伝送手段と、
チャージング期間中に前記接合領域に対して連続的なチャージング信号を供給するための第３の信号源と、
前記チャージング期間中に前記接合領域に対して前記チャージング信号を印加して前記接合領域に刺激を与えるように構成された第３の信号伝送手段と、
前記チャージング期間中に前記接合領域において前記チャージング信号と同時に前記第１のパルス信号及び第２のパルス信号の存在を同期させるように構成された信号制御手段と、
を含む、システム。
【請求項２】
前記信号源の少なくとも２つが、共通の筐体を共有し、前記信号制御手段に結合されて前記チャージング期間中に同期して実行し、前記信号源の少なくとも１つが、電気パルスを有する刺激信号を発するように構成され、前記第３の信号源が、前記チャージング期間中に実質的に一定の刺激信号を提供するように構成されている、請求項１に記載のシステム。
【請求項３】
前記信号源のいくつかが一緒に収容され、前記チャージング期間中に前記接合領域に関連付けて同期して刺激を与えるために前記信号制御手段に結合されている、請求項２に記載のシステム。
【請求項４】
前記第１の信号源及び第２の信号源が、第１のパルス周期信号セット及び前記第２のパルス周期信号セットをそれぞれ提供し、前記第３の信号源が、前記チャージング期間中に前記接合に印加するために一定の負のＤＣチャージング信号を提供する、請求項２に記載のシステム。
【請求項５】
前記第１のパルス信号セットが第１の波形を有し、前記第２のパルス信号セットが前記第１の波形のスカラー倍である波形を有する、請求項４に記載のシステム。
【請求項６】
出力対を与える前記筐体を更に有し、前記対の一方が前記第１又は第２の刺激信号の一方を供給し、前記対の他方が前記チャージング信号を供給する、請求項２に記載のシステム。
【請求項７】
前記筐体に搭載された複数の前記信号源及び前記信号伝送手段を更に含み、前記筐体が、前記刺激信号及び前記チャージング信号の印加を可能とするための複数の信号出力接続を含む、請求項２に記載のシステム。
【請求項８】
前記筐体が、複数の前記信号源に結合された前記信号制御手段を更に含む、請求項７に記載のシステム。
【請求項９】
前記筐体において複数の前記信号源が与えられ、前記出力接続が前記刺激信号のいくつかを供給し、前記筐体が、前記与えられた複数の源に結合された前記信号制御手段を更に含む、請求項８に記載のシステム。
【請求項１０】
前記筐体における前記信号源の１つが前記連続的なチャージング信号を負の直流として提供する、請求項９に記載のシステム。
【請求項１１】
前記信号制御手段が、前記接合領域に対する前記信号の同時印加を同期させるように構成されたプロセッサを更に含む、請求項１に記載のシステム。
【請求項１２】
前記刺激信号が、前記パルス神経信号を誘発して、前記チャージング期間中に前記接合領域において収束する各神経ハンドシェーク信号を提供するような大きさに設定されている、請求項１１に記載のシステム。
【請求項１３】
信号の大きさを求めるためのプロセッサと、前記領域の１つに印加するための大きさが増す信号を供給するための手段と、を更に含み、前記信号の大きさが、前記領域の１つに関連付けられた筋肉が痙攣によって反応するように設定される、請求項１に記載のシステム。
【請求項１４】
前記プロセッサが、少なくとも２０回、多くとも１００，０００回反復される信号パルスとして前記第１及び第２の印加刺激信号を供給するように構成されている、請求項１１に記載のシステム。
【請求項１５】
前記第１及び第２の源が、電気信号、音波信号、超音波信号、磁気信号、光信号、熱信号、低温信号、振動信号、圧力信号、吸引信号を含むセットから選択される、請求項１に記載のシステム。
【請求項１６】
前記第１及び第２の刺激信号が１００Ｈｚを超えない周波数を有し、前記周期パルスが４０マイクロ秒から１０ミリ秒の持続時間を有する、請求項１に記載のシステム。
【請求項１７】
前記第１及び第２の信号伝送手段の一方が脊椎生物の皮質に刺激信号を印加するように構成され、前記第１及び第２の信号伝送手段の他方が前記脊椎生物の筋肉の位置に別の刺激信号を印加するように構成されている、請求項１６に記載のシステム。
【請求項１８】
前記第１及び第２の信号伝送手段の一方が脊椎生物の皮質に刺激信号を印加するように構成され、前記第１及び第２の信号伝送手段の他方が前記脊椎生物の感覚ニューロンに別の刺激信号を印加するように構成されている、請求項１に記載のシステム。
【請求項１９】
記憶されたユーザ選択可能処理パラメータに従って前記第１及び第２の刺激信号の特性を選択するための信号タイプ選択器を更に含む、請求項１に記載のシステム。
【請求項２０】
前記信号タイプ選択器が、前記神経経路のタイプ及び結果のタイプを識別するための入力装置を含み、前記入力装置が、信号特性の所定メニューから選ばれた前記入力装置に対する入力に従って前記第１及び第２の刺激信号を調節する、請求項１９に記載のシステム。
【請求項２１】
前記第３の信号源が、前記チャージング期間中に前記接合領域に対して負の一定の直流信号を印加するためのチャージング手段を含む、請求項１に記載のシステム。
【請求項２２】
磁気信号源、音波信号源、振動信号源、及び電気信号源を含む群から得られるように前記第１及び第２のパルス信号を別個に選択するための信号タイプ選択器を更に含む、請求項２１に記載のシステム。
【請求項２３】
前記信号タイプ選択器が、対象の神経経路のタイプ及び結果のタイプの少なくとも１つを識別するための入力装置を含み、前記入力装置が、所望の結果に関連付けられた信号メニューに従って前記第１及び第２のパルス信号及び前記チャージング信号を調節する、請求項２２に記載のシステム。
【請求項２４】
前記信号源の少なくとも１つが１００Ｈｚを超えない周波数の周期パルスを供給するためのものであり、前記周期パルスが４０マイクロ秒から１０ミリ秒の持続時間を有する、請求項１に記載のシステム。
【請求項２５】
前記システムが一連の周期パルスを印加するように構成され、前記周期パルスの合計数が２０から１００，０００である、請求項１に記載のシステム。
【請求項２６】
前記第１及び第２のパルス信号が各々、形状、大きさ、及び極性において調節される、請求２５に記載のシステム。